(57)【特許請求の範囲】
【請求項１】
開口部を有するプロテクタ本体の側壁の外面に係止突部を形成するとともに、前記開口部を閉止するプロテクタカバーの側部に可撓性を有するＵ字状の係合枠部を形成し、前記開口部を前記プロテクタカバーにより閉止することによって前記係合枠部が前記係止突部に引っ掛かり係止されるプロテクタのロック構造において、
前記係止突部は、前記側壁の正面から見て矩形状であり、前記開口部側から反開口部側に向けて次第に前記側壁の外面から離れるように傾斜して前記係合枠部の枠下部が摺動するロック時摺動面と、前記枠下部が引っ掛かり係止される係止面と、前記ロック時摺動面の頂部に向けて傾斜するとともに前記プロテクタ本体に捻りモーメントを作用させるとこの作用に伴って前記係合枠部の枠側部が摺動するロック解除時摺動面と、を少なくとも有する
ことを特徴とするプロテクタのロック構造。
【請求項２】
請求項１に記載のプロテクタのロック構造において、
前記ロック解除時摺動面は、前記側壁の外面に直交する方向の面を設けずに前記頂部に向けて傾斜する
ことを特徴とするプロテクタのロック構造。
【発明の詳細な説明】
【技術分野】
【０００１】
本発明は、プロテクタ本体の開口部をプロテクタカバーにより閉止することによって係合枠部が係止突部に引っ掛かり係止されるプロテクタのロック構造に関する。
【背景技術】
【０００２】
図３において、プロテクタ本体１の側壁２の外面には、係止突部３が突出形成されている。この係止突部３は、側壁２の正面から見て略台形形状に形成されている。係合枠部４を有するプロテクタカバー５をプロテクタ本体１に取り付けて開口部６を閉止する場合、係合枠部４の窓部７が係止突部３に引っ掛かり、これによってロック状態（係止状態）が形成されるようになっている。
【０００３】
係合枠部４は、ロック時に開口部６側から反開口部側にのびる２本の枠側部８と、この両枠側部８の端部間を連結する枠下部９と、これらによって内側に形成される上記窓部７とを有している。
【０００４】
係止突部３は、上記の如く、正面から見て略台形形状であって、開口部６側から反開口部側に向けて次第に側壁２の外面から離れるように傾斜して係合枠部４の枠下部９が摺動するロック時摺動面１０と、このロック時摺動面１０に連続するとともに側壁２の外面に対して平行な頂部鉛直面１１と、頂部鉛直面１１に連続するとともに頂部鉛直面１１及び側壁２の外面に直交し、係合枠部４の枠下部９が引っ掛かる係止面１２と、図３（ｃ）に示すような係合枠部４の両枠側部８の変形を許容するための間隙Ｎを形成するための一対の傾斜部１３とを有している。
【０００５】
一対の傾斜部１３は、頂部鉛直面１１及び側壁２の外面に直交するように形成されている。また、一対の傾斜部１３は、開口部６側の位置で係合枠部４と係止突部３とが離れるように形成されている。
【特許文献１】特開平８−１４２２１号公報
【発明の開示】
【発明が解決しようとする課題】
【０００６】
上記従来技術のロック構造や一般的なロック構造にあっては、図３（ｂ）に示す如く完全に組み付いてロック状態にあるとロック保持力が高く、例えばリサイクル時にプロテクタカバー５をプロテクタ本体１から取り外して内部のワイヤハーネスを分離するような場合には、専用の工具を用いてロック状態を解除しなければならないという問題点を有している。すなわち、ロック保持力が高い場合、専用の工具を使用せずに作業することは困難であるという問題点を有している。
【０００７】
本発明は、上記事情に鑑みてなされたもので、例えばリサイクル時などで専用の工具を使用せずに容易にロック状態を解除することが可能なプロテクタのロック構造を提供することを課題とする。
【課題を解決するための手段】
【０００８】
上記課題を解決するためになされた請求項１記載の本発明のプロテクタのロック構造は、開口部を有するプロテクタ本体の側壁の外面に係止突部を形成するとともに、前記開口部を閉止するプロテクタカバーの側部に可撓性を有するＵ字状の係合枠部を形成し、前記開口部を前記プロテクタカバーにより閉止することによって前記係合枠部が前記係止突部に引っ掛かり係止されるプロテクタのロック構造において、前記係止突部は、前記側壁の正面から見て矩形状であり、前記開口部側から反開口部側に向けて次第に前記側壁の外面から離れるように傾斜して前記係合枠部の枠下部が摺動するロック時摺動面と、前記枠下部が引っ掛かり係止される係止面と、前記ロック時摺動面の頂部に向けて傾斜するとともに前記プロテクタ本体に捻りモーメントを作用させるとこの作用に伴って前記係合枠部の枠側部が摺動するロック解除時摺動面と、を少なくとも有することを特徴としている。
【０００９】
このような特徴を有する本発明によれば、プロテクタ本体に捻りモーメントを作用させると、この作用に伴って係合枠部及び係止突部のロック状態が解除される。
【００１０】
請求項２記載の本発明のプロテクタのロック構造は、請求項１に記載のプロテクタのロック構造において、前記ロック解除時摺動面は、前記側壁の外面に直交する方向の面を設けずに前記頂部に向けて傾斜することを特徴としている。
【００１１】
このような特徴を有する本発明によれば、係合枠部の枠側部がロック解除時摺動面をスムーズに摺動し、これによって係合枠部及び係止突部のロック状態が解除される。
【発明の効果】
【００１２】
請求項１に記載された本発明によれば、ロック保持力が高くても専用の工具を使用せずに容易にロック状態を解除することができるという効果を奏する。本発明は、例えばリサイクル時において有用な発明となる。
【００１３】
請求項２に記載された本発明によれば、係合枠部及び係止突部のロック状態をスムーズに解除することができるという効果を奏する。
【発明を実施するための最良の形態】
【００１４】
以下、図面を参照しながら説明する。図１は本発明のプロテクタのロック構造の一実施の形態を示す図であり、図１（ａ）はプロテクタ本体及びプロテクタカバーの斜視図、図１（ｂ）はロック状態の正面図である。また、図２はロック解除時の状態説明図であり、図２（ａ）は捻りモーメントの作用方向を示す斜視図、図２（ｂ）は図１（ｂ）のＡ−Ａ線断面図、図２（ｃ）は枠側部がロック解除時摺動面を摺動する状態を示す断面図、図２（ｄ）はロック解除時の状態を示す断面図である。
【００１５】
図１において、内部に図示しないワイヤハーネスを収納してこのワイヤハーネスを保護するプロテクタ２１は、プロテクタ本体２２と、プロテクタ本体２２の開口部２３を閉止するプロテクタカバー２４とを備えて構成されている。
【００１６】
プロテクタ本体２２は、底壁２５と、この底壁２５の両側に立設する一対の側壁２６と、底壁２５に連続してのびる一対のテープ巻き部２７とを有している。底壁２５及び一対の側壁２６は、断面視略コ字状に形成されている。
【００１７】
プロテクタカバー２４は、プロテクタ本体２２の上面の、一対の側壁２６間に形成された開口部２３を閉止することができるように平板状に形成されている。
【００１８】
プロテクタ本体２２の一対の側壁２６の外面には、係止突部２８が複数突出形成されている（本形態においては各側壁２６に３つ。一例であるものとする）。係止突部２８は、外面の上部、すなわち開口部２３の近傍に形成されている。係止突部２８は、側壁２６の正面から見て矩形状となるように形成されている。係止突部２８は、複数の面を有するように形成されている。以下、複数の面について説明する。
【００１９】
係止突部２８は、ロック時摺動面２９と、頂部鉛直面３０と、係止面３１と、一対のロック解除時摺動面３２とを有している。
【００２０】
ロック時摺動面２９は、開口部２３側から反開口部側に向けて次第に側壁２６の外面から離れる傾斜面となるように形成されている。頂部鉛直面３０は、ロック時摺動面２９に連続するとともに側壁２６の外面に対して平行な面となるように形成されている。
【００２１】
頂部鉛直面３０は、係止突部２８の頂部であって矩形状に形成されている。頂部鉛直面３０は、各辺にロック時摺動面２９と係止面３１と一対のロック解除時摺動面３２とが連続するように形成されている。
【００２２】
係止面３１は、頂部鉛直面３０及び側壁２６の外面に直交する面となるように形成されている。係止面３１は、頂部鉛直面３０に連続する他、一対のロック解除時摺動面３２にも連続するように形成されている。
【００２３】
一対のロック解除時摺動面３２は、それぞれ頂部鉛直面３０に向けて傾斜する面となるように形成されている。一対のロック解除時摺動面３２は、側壁２６の外面に直交する方向の面を設けずに外面から直ぐに傾斜するように形成されている。
【００２４】
図１（ｂ）の場合、係止突部２８の各面は、ロック時摺動面２９が上側の傾斜面、一対のロック解除時摺動面３２が左右両側の傾斜面、係止面３１が下側の水平面となるように配置形成されている。係止突部２８は、Ａ−Ａ線断面で見た場合、図２（ｂ）に示す如く台形の断面形状に形成されている。
【００２５】
プロテクタカバー２４の側部３３には、可撓性を有するＵ字状の係合枠部３４が複数突出形成されている（本形態においては各側部３３に３つ。係止突部２８の数に対応するものとする）。係合枠部３４は、プロテクタ本体２２の係止突部２８に引っ掛かり係止されるように形成されている。
【００２６】
係合枠部３４は、ロック時に開口部２２側から反開口部側にのびる２本の枠側部３５と、この両枠側部３５の端部間を連結する枠下部３６と、これらによって内側に形成される窓部３７とを有している。
【００２７】
このような係合枠部３４において、引用符号３６ａは係止突部２８のロック時摺動面２９を摺動する部分、引用符号３７ａは係止突部２８の係止面３１に引っ掛かる部分、引用符号３５ａは係止突部２８の一対のロック解除時摺動面３２を摺動する部分として形成されている。
【００２８】
上記構成において、プロテクタカバー２４をプロテクタ本体２２に取り付けて開口部２３を閉止する場合、プロテクタカバー２４を開口部２３の上方からプロテクタ本体２２側に押圧すると、係合枠部３４の枠下部３６が係止突部２８のロック時摺動面２９を摺動し、これにより係合枠部３４は外側へ撓む。係合枠部３４が撓みながら係止突部２８を乗り越えると、図１（ｂ）に示す如く、係合枠部３４の窓部３７が係止突部２８に嵌合する。これにより係合枠部３４は、係止突部２８に引っ掛かり合って係止され、ロック状態になる。
【００２９】
ロック状態にある時、プロテクタカバー２４を上記押圧の方向とは逆方向に移動させても、係合枠部３４の枠下部３６が係止突部２８の係止面３１に引っ掛かることから、このような方法ではプロテクタカバー２４の取り外しは不能である。
【００３０】
例えば、リサイクル時にプロテクタカバー２４をプロテクタ本体２２から取り外して内部のワイヤハーネスを分離するような場合には、図２（ａ）に示す如く、プロテクタ本体２２を捻ってこのプロテクタ本体２２に捻りモーメントＭを作用させる。捻りモーメントＭが作用すると、プロテクタ本体２２は捻れ変形を引き起こし、長手方向に沿って相反する方向（図２（ａ）中の矢印Ｘ方向）に変形しようとする。このため、反力Ｐ（図２（ｂ）参照）がプロテクタカバー２４に作用する。
【００３１】
反力Ｐがプロテクタカバー２４に作用すると、係合枠部３４と係止突部２８とが互いに逆方向に移動し、図２（ｃ）に示す如く、係合枠部３４の枠側部３５が係止突部２８のロック解除時摺動面３２を摺動する。捻りを続けると係合枠部３４は徐々に外側へ撓み、枠側部３５が係止突部２８の頂部鉛直面３０に達するとロック状態が解除される。ロック状態が解除されると、これによりプロテクタカバー２４のプロテクタ本体２２からの取り外しが可能となる。
【００３２】
以上、図１及び図２を参照しながら説明してきたように、ロック保持力が高くても専用の工具を使用せずに容易にロック状態を解除することができる。本発明は、プロテクタ本体２２を捻るだけでロック状態を解除しプロテクタカバー２４を取り外すことができる。
【００３３】
ロック状態の解除は短時間で行うことができ、従って、作業性は良好である。係止突部２８及び係合枠部３４は複雑な形状を要しないことから、プロテクタ本体２２及びプロテクタカバー２４がロック構造によって大型化してしまうことはない。
【００３４】
本発明は、係止突部２８及び係合枠部３４を破壊して（特に係合枠部３４）プロテクタカバー２４を取り外す構造でないことから、破壊時に生じる小さな破片がワイヤハーネスに混入することはなく、確実に分別をすることができるようになる。
【００３５】
本発明は本発明の主旨を変えない範囲で種々変更実施可能なことは勿論である。
【図面の簡単な説明】
【００３６】
【図１】本発明のプロテクタのロック構造の一実施の形態を示す図であり、（ａ）はプロテクタ本体及びプロテクタカバーの斜視図、（ｂ）はロック状態の正面図である。
【図２】ロック解除時の状態説明図であり、（ａ）は捻りモーメントの作用方向を示す斜視図、（ｂ）は図１（ｂ）のＡ−Ａ線断面図、（ｃ）は枠側部がロック解除時摺動面を摺動する状態を示す断面図、（ｄ）はロック解除時の状態を示す断面図である。
【図３】従来例のプロテクタのロック構造を示す図であり、（ａ）はロック状態の斜視図、（ｂ）はロック状態の正面図、（ｃ）は係合枠部の両枠側部に変形が生じた場合の正面図である。
【符号の説明】
【００３７】
２１  プロテクタ
２２  プロテクタ本体
２３  開口部
２４  プロテクタカバー
２５  底壁
２６  側壁
２７  テープ巻き部
２８  係止突部
２９  ロック時摺動面
３０  頂部鉛直面（頂部）
３１  係止面
３２  ロック解除時摺動面
３３  側部
３４  係合枠部
３５  枠側部
３６  枠下部
３７  窓部
【図１】
0004717041.tif 000002
【図２】
0004717041.tif 000003
【図３】
0004717041.tif 000004